(57)【特許請求の範囲】
【請求項１】
長尺体に巻き付けられるように可撓性を有し、一方の面に粘着性を有する巻付本体と、該巻付本体の粘着性を有する面に剥離可能に保持される離型材とを備え、
前記離型材の長尺体に巻き付ける際の周方向となる長さ方向と直交する幅方向の両端部のうち、少なくとも一方の端部が、長さ方向の任意の位置において幅方向に沿って切断可能に構成されており、
前記離型材は、前記巻付本体と同等の大きさ又は該巻付本体よりも少し小さな大きさに構成され、かつ、前記離型材の幅方向の少なくとも一端部が前記巻付本体の粘着性を有する面に付着しないように離型処理されていることを特徴とする長尺体用巻付部材。
【請求項２】
前記離型材は、前記巻付本体の略全面を覆うように構成されていることを特徴とする請求項１に記載の長尺体用巻付部材。
【発明の詳細な説明】
【技術分野】
【０００１】
本発明は、長尺体（例えば配管類や電線）に巻き付けて使用するための長尺体用巻付部材に関する。
【背景技術】
【０００２】
かかる長尺体用巻付部材として、例えば防火区画体の貫通孔に挿通した長尺体（例えば配管類や電線）に巻き付けて使用するものを一例に挙げて説明する。この長尺体用巻付部材は、熱により膨張する熱膨張性材料からなるテープ状成形体で構成されている。そして、このテープ状成形体を、防火区画体に形成の貫通孔に挿通された長尺体（例えば、合成樹脂製の配管や電線や複数の電線が被覆されて構成される電気ケーブル）に貫通孔外の広い空間で巻き付ける。巻き付けたテープ状成形体の両端部同士を、例えば粘着テープを貼り付けることにより固定する。次に、長尺体に巻き付けて固定したテープ状成形体を、貫通孔に位置するように長尺体に対して移動させる。この後、長尺体の外面と貫通孔との間の隙間を、モルタル、不燃材料、パテ等の充填剤により埋めることにより、長尺体への長尺体用巻付部材の施工を完了する（例えば特許文献１）。
【先行技術文献】
【特許文献】
【０００３】
【特許文献１】特開２００２−１６７８８５号公報
【発明の概要】
【発明が解決しようとする課題】
【０００４】
上記構成の長尺体用巻付部材では、テープ状成形体を長尺体へ巻き付ける作業と、巻き付けたテープ状成形体を一方の手で押えながらテープ状成形体の両端部に他方の手で粘着テープを貼り付ける作業の２つの作業を必要とするため、作業性が悪いものであり、早期改善が要望されている。
【０００５】
本発明は前述の状況に鑑み、解決しようとするところは、作業性のよい長尺体用巻付部材を提供するものである。
【課題を解決するための手段】
【０００６】
本発明の長尺体用巻付部材は、前述の課題解決のために、長尺体に巻き付けられるように可撓性を有し、一方の面に粘着性を有する巻付本体と、該巻付本体の粘着性を有する面に剥離可能に保持される離型材とを備え、前記離型材が、長尺体に巻き付ける際の周方向となる長さ方向の任意の位置において長さ方向と直交する幅方向に沿って切断可能に構成されていることを特徴としている。
【０００７】
本発明によれば、離型材が、長尺体に巻き付ける際の周方向となる長さ方向の任意の位置において長さ方向と直交する幅方向に沿って切断可能に構成されているので、長尺体に、長さ方向が周方向となるように長尺体用巻付部材を巻き付け、重なり合った部分（例えば、長さ方向における一端部と他端部）の巻付本体の粘着性を有する面が露出するように、離型材を長さ方向の任意の位置において幅方向に沿って切断することができ、露出した粘着性を有する面で長尺体用巻付部材の重合部分を接合することができる。要するに、長尺体に長尺体用巻付部材を巻き付けて長尺体用巻付部材に備える巻付本体の粘着性を有する面を露出させるように、重合部分における離型材を手で切り離して該重合部分を接合させる一連の作業で長尺体用巻付部材の施工を行う。
【０００８】
また、本発明の長尺体用巻付部材は、前記離型材が、前記巻付本体の略全面を覆うように構成されていることが好ましい。
【０００９】
上記のように、離型材が、前記巻付本体の略全面を覆うように構成されていれば、巻付本体の粘着性を有する面の略全域を離型材で確実に覆うことができ、長尺体用巻付部材を長尺体に巻き付ける際に、粘着性を有する面の一部が長尺体に接触することを阻止することができる。
【００１０】
又、本発明の長尺体用巻付部材は、前記離型材の幅方向の両端部のうち、少なくとも一方の端部が、長さ方向の任意の位置で幅方向に沿って切断可能に構成されており、前記離型材は、前記一方の端部が、前記巻付本体の幅方向の少なくとも一端から外方へ食み出すように構成されていてもよい。
【００１１】
上記のように、離型材が、巻付本体の幅方向の少なくとも一端から外方へ食み出していれば、食み出している離型材の一方の端部を直ちに掴んで切断作業を迅速に行うことができる。
【００１２】
又、本発明の長尺体用巻付部材は、前記離型材の幅方向の両端部のうち、少なくとも一方の端部が、長さ方向の任意の位置で幅方向に沿って切断可能に構成されており、前記離型材は、前記巻付本体と同等の大きさ又は該巻付本体よりも少し小さな大きさに構成され、かつ、前記離型材の幅方向の少なくとも一端部が前記巻付本体の粘着性を有する面に付着しないように離型処理されている構成であってもよい。
【００１３】
上記のように、離型材の幅方向の少なくとも一端部が巻付本体の粘着性を有する面に付着しないように離型処理されていることで、離型材が巻付本体と同等の大きさ又は巻付本体よりも少し小さな大きさに構成されていても、切断する時に離型材の幅方向の一端部を捲り上げて容易に掴むことができる。
【発明の効果】
【００１４】
本発明によれば、巻付本体の粘着性を有する面に剥離可能に保持される離型材を幅方向に沿って切断可能に構成することによって、長尺体に巻き付けてから固定するまでの作業を一連の作業で行えるので、作業性のよい長尺体用巻付部材を提供することができる。
【図面の簡単な説明】
【００１５】
【図１】本発明に係る長尺体用巻付部材を示し、（ａ）はロール状に巻き付けられた長尺体用巻付部材の図、（ｂ）は（ａ）の長尺体用巻付部材を所定の長さで切断して短冊状になった長尺体用巻付部材の図、（ｃ）は（ｂ）の長尺体用巻付部材の離型材の一端部を切り始めた状態を示す図、（ｄ）は長尺体用巻付部材の離型材の一端部の切断が完了した状態を示す図である。
【図２】配管に長尺体用巻付部材を巻き付ける工程を示す説明図であり、（ａ）は長尺体用巻付部材を配管に巻き付けて長尺体用巻付部材の一端に他端を重ね合わせた状態を示し、（ｂ）は重ね合わせた重合部分の離型材を切断して取り除いた状態を示し、（ｃ）は離型材を取り除いて粘着性を有する面を重ね合わせて重合部分が接合された状態を示している。
【図３】（ａ）は一対の壁に形成の貫通孔に挿通された配管に長尺体用巻付部材を巻き付けた状態の縦断面図、（ｂ）は図３（ａ）におけるＡ−Ａ線断面図である。
【図４】（ａ）、（ｂ），（ｃ）は長尺体用巻付部材の別の形態を示す図である。
【図５】配管に長尺体用巻付部材を巻き付ける別の工程を示す説明図であり、（ａ）は長尺体用巻付部材を配管に巻き付けて長尺体用巻付部材の一端に他端を重ね合わせた状態を示し、（ｂ）は重ね合わせた重合部分の離型材を切断して取り除いた状態を示し、（ｃ）は離型材を取り除いて粘着性を有する面を重ね合わせて重合部分が接合された状態を示している。
【発明を実施するための形態】
【００１６】
以下、本発明の実施形態を図面に基づいて説明する。
【００１７】
本発明の長尺体用巻付部材１は、長尺体に巻き付けてから固定するまでの作業を一連の作業で行えるように構成された部材である。長尺体として、ここでは、合成樹脂製の配管２（例えば、図２（ａ）参照）を挙げているが、電線や複数の電線が被覆されて構成される電気ケーブル等であってもよい。
【００１８】
長尺体用巻付部材１は、図１（ａ）に示すように、長尺な帯状部材をロール状に巻き重ねて構成されている。そのロール状の長尺体用巻付部材１を、必要となる所定の長さＬだけ巻き解いて切断することによって、図１（ｂ）に示す短冊状にして使用する。この所定の長さＬは、配管２の外形寸法の大きさによって設定され、具体的には、配管２に巻き付けられる長尺体用巻付部材１の両端部を重ね合わせて配管２に固定できる重合部を確保できる程度の長さに設定することになる。そして、その短冊状で長方形状の長尺体用巻付部材１を配管２（図２（ａ），（ｂ），（ｃ）参照）に巻き付けて施工することになる。この長尺体用巻付部材１は、配管２に巻き付けることができるように可撓性を有し、一方の面に粘着性を有する巻付本体３と、巻付本体３の粘着性を有する面に剥離可能に保持される離型材４とを備えている。以下において、長尺体用巻付部材１を配管２に巻き付ける方向となる周方向を長さ方向とし、また、この長さ方向と直交する方向を幅方向として説明する。
【００１９】
巻付本体３は、図１（ｂ）の拡大図に示すように、遮熱性の高いアルミシート５と、このアルミシート５の一方（図１（ｂ）の拡大図では左側）の面５Ａに一体化される熱膨張性シート６の２つの部材から構成されている。アルミシート５は、アルミニウム箔の片面又は両面に各種の合成樹脂フィルムをラミネートして構成されている。熱膨張性シート６は、アルミシート５と同等の大きさに構成され、後述する防火区画領域に用いた場合に、火災発生時の熱により膨張して、壁７の貫通孔７Ａ全体を閉塞する熱膨張性黒鉛含有樹脂から構成されている。また、熱膨張性シート６は、常温で粘着性を有するブチルゴムを樹脂成分として含有することによって、粘着性が付与され、その粘着性を利用してアルミシート５を熱膨張性シート６の一方の面６Ｂに保持（固定）することができる。また、熱膨張性シート６の粘着性を利用して離型材４を熱膨張性シート６の他方の面（アルミシート５とは反対側の面）６Ａに保持（固定）することができる。ここでは、防火区画領域での火災発生時に有効となる熱膨張性シート６を示しているが、遮音を行うための遮音シート、断熱を行うための断熱シート、振動を抑えるための防振シート、目印となる表示を行うための表示シート等、使用目的によって変更することができる。尚、アルミシート５も、熱膨張性シート６と同様に使用目的によって他の材料で構成されるシート部材に変更する又は省略することができる。
【００２０】
離型材４は、前記のように熱膨張性シート６の粘着性を利用して熱膨張性シート６の他方の面６Ａに剥離可能に保持されている。また、離型材４は、マジックカット（商標登録）が施された合成樹脂フィルム（紙でもよい）から構成されている。このフィルムを構成する合成樹脂としては、例えばポリエチレンが挙げられるが、他の合成樹脂でもよい。このような構成の合成樹脂フィルムは、長さ方向の任意の位置において幅方向に沿って手で切断可能になっている。尚、マジックカット（商標登録）の他、Ｖ字型又はＵ字型あるいはＩ字型に切り込まれたノッチ（又は溝ともいう）や多数の孔が形成されたミシン目であってもよいし、幅方向に沿って真っ直ぐに容易に切れる直線カット性に優れたものであってもよい。また、離型材４の幅方向の寸法が、巻付本体３の幅方向の寸法よりも大きくなっており、その大きくなっている部分が、巻付本体３の一端から外方へ食み出している。従って、図１（ｃ）に示すように、離型材４の長さ方向一端部４Ｔにおける幅方向の一方の外方（図１（ｃ）では上方）に食み出している端部４Ａを直ちに掴んで離型材４の切断作業を迅速に行うことができる。図１（ｄ）には、離型材４の長さ方向一端部４Ｔが切断されて巻付本体３を構成する熱膨張性シート６の粘着性を有する面６Ａが露出された状態を示している。ここでは、巻付本体３の幅方向の一端部の長さ方向全域において外方（図１（ｂ）では上方）へ食み出しているため、長さ方向のどの位置においても、食み出している離型材４の幅方向一端部を直ちに掴むことができ、好ましいが、長さ方向の任意の位置においてのみ外方へ食み出している構成であってもよい。また、離型材４が、巻付本体３の熱膨張性シート６の全面を覆っているので、熱膨張性シート６の粘着性を有する面６Ａの全域を離型材４で確実に覆うことができ、長尺体用巻付部材１を配管２に巻き付ける際に、粘着性を有する面６Ａの一部が配管２に接触することを阻止することができる。また、図１（ｄ）では、離型材４の長さ方向一端部４Ｔが、長さ方向と直交する方向に切断されて長方形状に切り取られた状態を示しているが、長さ方向と交差する方向に切断されて例えば台形状に切り取られる場合もある。
【００２１】
長尺体用巻付部材１を配管２に巻き付けて施工する手順について説明する。前述したように切断して必要長さの短冊状になった長尺体用巻付部材１を、図２（ａ）に示すように、配管２に長さ方向が周方向になるように巻き付ける。このとき、配管２の外面に離型材４が対向するように長尺体用巻付部材１を配置して巻き付ける。そして、巻き付けてから、長尺体用巻付部材１の長さ方向両端部が重なり合った部分の巻付本体３の熱膨張性シート６の粘着性を有する面６Ａが露出する、つまり熱膨張性シート６の巻き終わり端部の粘着性を有する面６Ａが露出するように、離型材４を幅方向に沿って切断する。この切断時には、図２（ａ）の仮想線で示す位置まで、長尺体用巻付部材１の一端部（巻き終わり側の端部）１Ａを他端部（巻き始め側の端部）１Ｂから離してから、離型材４の長さ方向一端部４Ｔにおける幅方向一端部（幅方向で食み出している一端部、図の手前側へ突出している一端部）４Ａを掴んで幅方向に沿って切断する（図２（ｂ）参照）。切断した後に、長尺体用巻付部材１の一端部（巻き終わり側の端部）１Ａを他端部（巻き始め側の端部）１Ｂに重ね合わせることによって、露出した粘着性を有する面６Ａが他端部（巻き始め側の端部）１Ｂの外面に接触する。これにより長尺体用巻付部材１の重合部分１Ｃを接合することができる（図２（ｃ）参照）。要するに、配管２に長尺体用巻付部材１を巻き付けて長尺体用巻付部材１に備える巻付本体３の熱膨張性シート６の粘着性を有する面６Ａを露出させるように、重合部分１Ｃにおける離型材４を手で切り離して重合部分１Ｃを接合させる一連の作業で長尺体用巻付部材１の施工を行う。また、長尺体用巻付部材１を配管２に長さ方向が周方向になるように巻き付ける際に、図示していないが、長尺体用巻付部材１の他端部（巻き始め側の端部）１Ｂの離型材４の一部分のみを切り取って露出した粘着性を有する面６Ａを配管２に固定して仮止めすることによって、巻き付ける際に片方の手で長尺体用巻付部材１の他端部（巻き始め側の端部）１Ｂをしっかりと押さえておく必要がなくなり、巻き付け作業を容易かつ迅速に行うことができる利点がある。
【００２２】
図３（ａ），（ｂ）では、長尺体用巻付部材１を、防火区画領域にある防火区画体である一対の壁７，７に形成の貫通孔７Ａ，７Ａに挿通される配管２に巻き付けて施工した場合を示している。この場合には、火災発生時の熱により熱膨張性シート６が膨張して貫通孔７Ａを塞ぐことで、火炎や有毒ガス等が隣室側へ流入することを防止することができる。
【００２３】
長尺体用巻付部材１を貫通孔７Ａ，７Ａに挿通された配管２に巻き付けて施工する手順について説明する。前述したように切断して必要長さの短冊状になった長尺体用巻付部材１を、前記配管２に、貫通孔外の広い空間で長さ方向が周方向になるように巻き付ける。このとき、配管２の外面に離型材４が対向するように長尺体用巻付部材１を配置して巻き付ける。そして、巻き付けてから、長尺体用巻付部材１の長さ方向両端部が重なり合った部分の巻付本体３の粘着性を有する面６Ａが露出するように、離型材４を長さ方向の任意の位置において幅方向に沿って切断する。この切断時には、前述したように、図２（ａ）の仮想線で示す位置まで、長尺体用巻付部材１の一端部（巻き終わり側の端部）１Ａを他端部（巻き始め側の端部）１Ｂから離してから、離型材４の長さ方向一端部４Ｔにおける幅方向一端部（幅方向で食み出している一端部）４Ａを掴んで幅方向に沿って切断する（図２（ｂ）参照）。切断した後に、長尺体用巻付部材１の一端部（巻き終わり側の端部）１Ａを他端部（巻き始め側の端部）１Ｂに重ね合わせることによって、露出した粘着性を有する面６Ａで長尺体用巻付部材１の重合部分１Ｃを接合することができる（図２（ｃ）参照）。この後、巻き付けて接合した長尺体用巻付部材１を貫通孔７Ａに位置するように配管２に対して移動させる。この移動時に、離型材４が合成樹脂フィルムで構成されているため、移動抵抗を小さくすることができ、長尺体用巻付部材１を小さな力で移動させることができる。尚、前述したように長尺体用巻付部材１の他端部（巻き始め側の端部）１Ｂを配管２に仮止めしている場合でも、強固に固定されていないので、長尺体用巻付部材１の移動に支障を来すことはない。移動後は、配管２の外面と貫通孔７Ａ，７Ａとの間の隙間を、モルタル、不燃材料、パテ、あるいは弾性部材等の充填剤８により埋めることにより、施工を完了する（図３（ａ），（ｂ）参照）。前記充填剤８を埋める際に、巻付本体３から食み出した離型材４の幅方向一端部４Ａを充填剤８から外部へ飛び出させた状態にしておく（図３（ａ）参照）。このようにしておくことによって、充填剤８を埋めた後でも、飛び出した離型材４の一端部４Ａを見れば、長尺体用巻付部材１を装着したことを容易に把握することができる利点がある。また、この施工の場合も、前述したように、配管２に長尺体用巻付部材１を巻き付けて長尺体用巻付部材１に備える巻付本体３の熱膨張性シート６の粘着性を有する面６Ａを露出させるように、重合部分１Ｃにおける離型材４を手で切り離して重合部分１Ｃを接合させる一連の作業で長尺体用巻付部材１の施工を行う。
【００２４】
尚、本発明は、前記実施形態に限定されるものではなく、本発明の要旨を逸脱しない範囲で種々の変更が可能である。長尺体用巻付部材１を、例えば、図４（ａ）〜（ｃ）に示すように構成することができる。図４（ａ）では、離型材４を幅方向両端からそれぞれ外方へ食み出すように構成している。この場合、食み出した両端部４Ｈ，４Ｈのそれぞれは、同じ長さだけ食み出すように構成してもよいし、異なる長さで食み出すように構成してもよい。また、図４（ｂ）では、離型材４を巻付本体３と同等の大きさ（又は巻付本体３よりも少し小さな大きさでもよい）に構成し、離型材４の巻付本体３側の面（図４（ｂ）では離型材４の裏面）における幅方向の一端部（図４（ｂ）では斜線の上側領域４Ｂ）が巻付本体３の粘着性を有する面に付着しないように離型処理されている。このように離型処理されていることによって、離型材４が巻付本体３と同等の大きさ（又は巻付本体よりも少し小さな大きさ）に構成されていても、切断する時に離型材４の幅方向の一端部４Ａを捲り上げて容易に掴むことができる。図４（ｂ）では、離型処理された部分（上側領域４Ｂ）が、長さ方向全域に亘って同一幅で形成されているが、これに限らない。前記離型処理は、シリコーンやフッ素樹脂等の離型剤を離型材４の裏面の所定領域（上側領域４Ｂ）に塗布又は噴霧することによってなされる。また、図４（ｃ）では、離型材４を巻付本体３と同等の大きさ（又は巻付本体３よりも少し小さな大きさでもよい）に構成し、離型材４の巻付本体３側の面（図４（ｃ）では離型材４の裏面）における幅方向の両端部（図４（ｃ）では上側領域４Ｂと下側領域４ｂ）が巻付本体３の粘着性を有する面に付着しないように離型処理されている。このように離型処理されていることによって、離型材４が巻付本体３と同等の大きさ（又は巻付本体よりも少し小さな大きさ）に構成されていても、切断する時に離型材４の幅方向の一端部４Ａ又は他端部４Ｃを捲り上げて容易に掴むことができる。図４（ｃ）では、離型処理された２つの領域４Ｂ，４ｂのそれぞれが、長さ方向全域に亘って同一幅に形成されているが、これに限らない。また、離型処理された一方の領域４Ｂと、他方の領域４ｂとが同一幅で構成されているが、異なる幅で構成されていてもよい。前記離型処理は、シリコーンやフッ素樹脂等の離型剤を離型材４の裏面の所定領域（上側領域４Ｂ及び下側領域４ｂ）に塗布又は噴霧することによってなされる。
【００２５】
前記実施形態では、巻付本体３を２つの部材から構成したが、１つの部材から構成してもよいし、３つ以上の部材から構成してもよい。尚、巻付本体３を構成する部材の具体的構成は、使用目的に応じて自由に変更可能である。
【００２６】
また、前記実施形態では、離型材４を巻付本体３を構成する部材（実施形態では、熱膨張性シート６）自体が粘着性を有するように構成したが、粘着剤を塗布して粘着層を備えさせる構成であってもよい。この場合、離型材４を巻付本体３に粘着層を介して剥離可能に保持させることになる。
【００２７】
また、前記実施形態では、ロール状に巻き付けられた長尺体用巻付部材１を示したが、所定の長さに構成された長尺体用巻付部材１であってもよい。
【００２８】
また、前記実施形態では、配管２の外面に離型材４が対向するように長尺体用巻付部材１を配置して巻き付けたが、図５（ａ），（ｂ），（ｃ）に示すように、配管２の外面にアルミシート５が対向するように（アルミシート５が最も内側に位置するように）長尺体用巻付部材１を配置して巻き付けてもよい。このアルミシート５を、各種の樹脂シートから構成することもできる。この樹脂シートの場合には、巻付本体３との接合性が優れているため、例えば巻付時や折り曲げた時に巻付本体３から不測に剥がれるといったことがなく、取り扱い性がよいという利点がある。前記のように、長尺体用巻付部材１を配管２に巻き付けた後において離型材４が最も外側に位置しているため、図５（ｂ）に示すように、外側の離型材４の一端部４Ｔを取り除いてから、長尺体用巻付部材１の他端部（巻き始め側の端部）１Ｂを配管２から離した状態で長尺体用巻付部材１の一端部（巻き終わり側の端部）１Ａを配管２の外面に押し付けた状態にする。この押し付けた状態の長尺体用巻付部材１の一端部（巻き終わり側の端部）１Ａの上に配管２から離しておいた長尺体用巻付部材１の他端部（巻き始め側の端部）１Ｂを重ねることによって、長尺体用巻付部材１の一端部（巻き終わり側の端部）１Ａの露出した面６Ａに他端部（巻き始め側の端部）１Ｂの内側面を押し付ける。これにより、長尺体用巻付部材１の一端部（巻き終わり側の端部）１Ａに他端部（巻き始め側の端部）１Ｂを接合する。要するに、図５（ａ）における長尺体用巻付部材１の両端部１Ａ，１Ｂの重合関係（一端部１Ａが外側で他端部１Ｂが内側となる関係）を、図５（ｃ）において反対にした重合関係（一端部１Ａが内側で他端部１Ｂが外側となる関係）で接合する。
【００２９】
また、前記実施形態では、長尺体用巻付部材１の一端部（巻き終わり側の端部）１Ａと他端部（巻き始め側の端部）１Ｂとを接合する場合を示したが、一巻きを越えるように長尺体用巻付部材１を長尺体に巻き付け、長尺体用巻付部材１の一端部（巻き終わり側の端部）１Ａを他端部（巻き始め側の端部）１Ｂではない長尺体用巻付部材１の外面に接合してもよい。この場合、一巻きを越える所定の長さに構成された長尺体用巻付部材１を長尺体に巻き付けてもよいし、長尺な長尺体用巻付部材１を一巻きを越える所定の長さになるように巻き付けてから、ハサミ等の切断手段により切断するようにしてもよい。
【符号の説明】
【００３０】
１…長尺体用巻付部材、１Ａ…一端部（巻き終わり側の端部）、１Ｂ…他端部（巻き始め側の端部）、１Ｃ…重合部分、２…配管、３…巻付本体、４…離型材、４Ａ…幅方向一端部、４Ｂ…上側領域、４Ｃ…幅方向他端部、４ｂ…下側領域、４Ｔ…長さ方向一端部、４Ｈ…両端部、５…アルミシート、５Ａ…面、６…熱膨張性シート、６Ａ，６Ｂ…面、７…壁、７Ａ…貫通孔、８…充填剤
【図１】
0006663701.tif 000002
【図２】
0006663701.tif 000003
【図３】
0006663701.tif 000004
【図４】
0006663701.tif 000005
【図５】
0006663701.tif 000006